(57)【特許請求の範囲】
【請求項１】
小型電気機器の外面から突出する端子と接触して充電もしくは通信のための電気的接続を行う導電部を備えている小型電気機器の接続装置であって、
小型電気機器の外面よりも突出している上記端子が表面に接触する上記導電部は、接続装置の後部に設けられたサポート台の前面の壁面表面に露出しているとともに上記壁面表面よりも突出していないか上記壁面表面と面一であり、
上記壁面の導電部周囲には小型電気機器の接続装置への設置方向に長い溝を設けて、凹溝状であるこの溝内に前記導電部を配置していることを特徴とする小型電気機器の接続装置。
【請求項２】
上記壁面が頂点部を有する凸面となっているとともに、上記導電部が上記頂点部に位置していることを特徴とする請求項１記載の小型電気機器の接続装置。
【請求項３】
上記導電部も上記壁面の凸面と同じ向きの凸面となっていることを特徴とする請求項２記載の小型電気機器の接続装置。
【請求項４】
上記壁面における頂点部の導電部付近には、導電部表面と面一となる凹面を設けていることを特徴とする請求項２または３記載の小型電気機器の接続装置。
【発明の詳細な説明】
【技術分野】
【０００１】
本発明は、小型電気機器に充電あるいは通信のための電気的接続を行う小型電気機器用の接続装置に関するものである。
【背景技術】
【０００２】
小型電気機器の充電通信のための接続装置で、小型電気機器側の端子と、接続装置側の導電部とを接触させることで電気的接続を行うものとして、特許文献１に示されたものがある。このものでは、小型電気機器の表面から端子を突出させるとともに、接続装置側の導電部もばね付勢を受けて接続装置の表面から突出させており、接続装置側に小型電気機器を押しつけた時、端子が導電部に接触して導電部をばね付勢に抗して後退させることで、接触圧を確保した電気的接続を得ている。
【０００３】
しかし、導電部という金属製の部材が接続装置の表面から突出していることから、接続装置に小型電気機器を装着するにあたり、突き出ている導電部が小型電気機器の端子以外のところに傷をつけてしまうことが多々生じる。
【０００４】
小型電気機器が電気かみそりであり、接続装置が電気かみそりの刃ヘッド部の洗浄のためのもので、電気かみそりの刃ヘッド部を接続装置が備える洗浄部内に深く差し入れるものであり、差し入れた状態で上記端子と導電部とが接触するようにしている場合は、電気機器における導電部と接触する虞のある部分が多くなるために、なおさら傷ついてしまう虞が高くなる。
【先行技術文献】
【特許文献】
【０００５】
【特許文献１】特許第４８４２３９８号
【発明の概要】
【発明が解決しようとする課題】
【０００６】
本発明は上記問題に鑑みてなされたもので、導電部による小型電気機器の損傷を防ぐことができる小型電気機器の接続装置を提供することを課題とする。
【課題を解決するための手段】
【０００７】
本発明にかかる小型電気機器の接続装置は、小型電気機器の外面から突出する端子と接触して充電もしくは通信のための電気的接続を行う導電部を備えているものにおいて、小型電気機器の外面よりも突出している上記端子が表面に接触する上記導電部は、接続装置の後部に設けられたサポート台の前面の壁面表面に露出しているとともに上記壁面表面よりも突出していないか上記壁面表面と面一であり、上記壁面の導電部周囲には小型電気機器の接続装置への設置方向に長い溝を設けて、凹溝状であるこの溝内に前記導電部を配置していることに特徴を有している。
【０００８】
また、上記壁面を頂点部を有する凸面となっているとともに、上記導電部が上記頂点部に位置していることが好ましく、導電部も壁面の凸面と同じ向きの凸面となっていることがさらに好ましい。
【０００９】
また、上記壁面における頂点部の導電部付近には、導電部表面と面一となる凹面を設けておくことが好ましい。
【発明の効果】
【００１１】
本発明においては、導電部がその周囲の壁面よりも突出していないために、導電部が小型電気機器の表面を傷つけてしまうことがないものである。
【図面の簡単な説明】
【００１２】
【図１】本発明の実施の形態の一例の要部断面図である。
【図２】同上の斜視図である。
【図３】同上の小型電気機器を取り外した状態の斜視図である。
【図４】同上の縦断面図である。
【図５】同上の水平断面図である。
【図６】同上の小型電気機器を装着した状態の水平断面図である。
【図７】同上の他例の要部斜視図である。
【発明を実施するための形態】
【００１３】
以下本発明を図示実施例に基づいて詳述すると、図示例の接続装置１は、往復式電気かみそりである小型電気機器Ｅの刃ヘッド部を洗浄するためのもので、ベース１１と側面カバー１５と前面カバー１６及び天面カバー２で外殻が形成され、小型電気機器Ｅを倒立させた状態でその刃ヘッド部を差し込むための洗浄部２０を上面に開口している。
【００１４】
上記接続装置１は、洗浄液を蓄える容器と、洗浄液を容器と洗浄部との間で循環させるポンプと、洗浄後の刃ヘッド部を乾燥させるためのヒータユニット及びモータファンとを内部に備え、上部後方側には小型電気機器Ｅとの間の電気的接続用の接続部を備えるサポート部Ｓを有している。
【００１５】
洗浄液を入れた容器を洗浄装置１にセットし、上記洗浄部２０内に小型電気機器Ｅの刃ヘッド部を差し込むと同時に、上記サポート部Ｓの接続部で小型電気機器Ｅと接続装置１とを電気的に接続し、この状態で上記ポンプを作動させれば、ポンプが容器７内の洗浄液を洗浄部２０に供給する。洗浄部２０でオーバーフローした洗浄液は洗浄部２０の下方に位置する容器７内に戻る。この洗浄中は上記接続部を通じた給電及び信号の送信によって小型電気機器Ｅにおける刃ヘッド部を作動させることで、刃ヘッド部の洗浄をより迅速に且つ効果的に行うことができる。
【００１６】
上記洗浄部２０の後方側で立ち上がるサポート部Ｓは、サポート台６の背面側を天面カバー２が有する背部カバー２３で覆ったもので、サポート台６の前面は、水平断面において凹面をなしている。また、サポート台６の前面は、縦断面において前方側に突出するとともに頂点部を有する凸面をなしており、この凸面における頂点部付近に導電部３９が埋め込まれて配設されている。
【００１７】
この導電部３９は、可動端子台３８の表面に配されたもので、可動端子台３８及び導電部３９は、その背方に位置するばね３７によって前方に向けて付勢されている。図中４０はばね付勢による前方への突出量を制限するストッパー、３５は基台である。
【００１８】
サポート台６の前面には図示例において左右方向に間隔を置いて３つの導電部３９が配されており、これら導電部３９はばね３７による付勢に抗して個別に後退自在となっている。また、各導電部３９も前方側に湾曲する凸面をなしている。
【００１９】
そして、この接続装置１における導電部３９は、サポート台６の前面Ｆに形成した上下方向の縦溝６０内に位置して、図に示すように凹溝状である縦溝６０の底面からは突出するものの、導電部３９の上記凸面の頂部が前面Ｆと面一となるだけで、サポート台６の前面Ｆからは突出していない。このために、小型電気機器Ｅの刃ヘッド部を洗浄部２０に差し込む際、小型電気機器Ｅの外面と接触するのはサポート台６の前面Ｆであり、導電部３９が小型電気機器Ｅの外面を傷つけてしまうことはない。
【００２０】
また、導電部３９に接触する小型電気機器Ｅ側の端子Ｅｂは、小型電気機器Ｅの外面よりも突出している。しかし、洗浄部２０に刃ヘッドを差し込む際、導電部３９がサポート台６前面の前記頂点部付近にある上に、サポート台６の前面Ｆに設けた縦溝６０を通過して導電部３９に接触するために、端子Ｅｂがサポート台６側を傷つけてしまうこともない。
【００２１】
なお、端子Ｅｂと導電部３９との接触圧は、端子Ｅｂが導電部３９をばね３７に抗して押し込むことで確保される。また、導電部３９が縦断面において凸面をなす形状をしているために、小型電気機器Ｅのセット時に適度な操作感を与えることができるとともに、小型電気機器Ｅの端子Ｅｂがスライドしながら接触するとき、スムーズに最大荷重の状態に移行する。
【００２２】
図７に他例を示す。これは基本的構成は上記のものと同じであるが、サポート台６の前面Ｆの前方に突出する凸面の頂点部で且つ前面Ｆに設けた縦溝６０の両脇に、前面Ｆと導電部３９表面とを面一にするための凹面６１を設けたものを示している。この凹面６１は、サポート台６の前面の上記凸面の曲率と、導電部３９の前方に突出する凸面との曲率の差に起因する段差が生じることを防ぐ。また、導電部３９の位置を直感的に知らせることができる存在となる上に、導電部３９の形状変更にも凹面６１の形状変更で容易に対応することができる。
【符号の説明】
【００２３】
Ｅ  小型電気機器
Ｅｂ  端子
１  接続装置
６  サポート台
３９  導電部
【図１】
0006008274.tif 000002
【図２】
0006008274.tif 000003
【図３】
0006008274.tif 000004
【図４】
0006008274.tif 000005
【図５】
0006008274.tif 000006
【図６】
0006008274.tif 000007
【図７】
0006008274.tif 000008